(57)【要約】【課題】道路空間において広い表面積を有しながらも普段利活用されることがなく、殺風景な高速道路や高架橋の橋脚や換気塔等の道路施設を、広報・告知・宣伝等の公共メッセージの表示領域として社会的に有効に利活用すること。【解決手段】道路施設情報と表示領域情報と表示体表示情報と表示体装置情報とを蓄積する手段を有し、表示依頼者が入力手段により、道路施設情報および表示領域情報に基づいて表示体の表示を希望する表示領域を選択するとともに表示依頼者に関する表示依頼者情報と表示を希望する文字・記号・図画等の表示体内容情報を入力手段により伝達すると、選択された表示領域と表示依頼者情報と表示体内容情報とを受け付けて、該選択された表示領域固有の表示体装置情報と組み合わせ、選択された表示領域に適切な表示体の作成および表示体装置情報を出力して発注する手段を備えてなる道路施設を活用した表示体提供システム。【選択図】  図１
2009176230.tif 000002
【特許請求の範囲】
【請求項１】
道路施設の表面を公共メッセージ等の表示体の表示領域として提供する道路会社と道路施設への表示体の表示に協賛する表示依頼者と道路施設における表示体の施工管理を行う管理会社を繋いで、表示領域の提供、表示体表示の申し込み、表示体作成および施工の発注、施工された表示体の管理を管理サーバーにより統括的に管理するシステムであって、道路会社が表示体の表示領域として提供可能な道路施設の住所・位置・種類に関する項目等の道路施設情報と、道路施設における表示領域の形状・表示領域の面積・表示領域の向き、表示領域の画像等の表示領域情報と、各表示領域ごとに随時更新蓄積される表示体表示の有無・表示期間・表示体内容情報等の表示体表示情報と、各表示領域ごとに設定されている設置すべき表示体基板の種類・表示体基板の形状・表示体の施工方法等の表示体装置情報とを蓄積する手段を有し、表示依頼者が入力手段により、前記道路施設情報および前記表示領域情報に基づいて表示体の表示を希望する表示領域を選択するとともに表示依頼者に関する表示依頼者情報と表示を希望する文字・記号・図画等の表示体内容情報を入力手段により伝達すると、前記選択された表示領域と前記表示依頼者情報と前記表示体内容情報とを受け付けて、該選択された表示領域固有の前記表示体装置情報と組み合わせ、前記選択された表示領域に適切な表示体の作成および表示体装置情報を出力して発注する手段を備えてなることを特徴とする道路施設を活用した表示体提供システム。
【請求項２】
道路施設情報と、表示領域情報と、表示体表示情報と、表示体装置情報と、表示体に表示する文字・記号・図形・色彩等が道路施設への表示体表示について規定されている法令の要件を満たすか否か審査するための法令基準・表示体に表示する文字・記号・図形・色彩等が景観の保護や広報の趣旨等に設けられた基準を満たすか否か審査するための表示体内容基準・表示依頼者の業種・理念等が景観の保護や広報の趣旨に設けられた基準を満たすか否か審査するための表示依頼者基準の項目等の表示体表示可否審査基準情報と、表示体表示の契約条項等の表示体表示契約項目情報を蓄積する手段を有し、表示依頼者が入力手段により、前記道路施設情報および前記表示領域情報に基づいて表示体の表示を希望する表示領域を選択するとともに表示依頼者に関する表示依頼者情報と表示を希望する文字・記号・図画等の表示体内容情報を入力手段により伝達すると、前記伝達された表示依頼者情報および表示体内容情報を前記表示体表示可否審査基準によりスクリーニングして表示体表示の可否を決定し、前記表示体表示可と判断された申し込みのみに対して表示体表示契約情報を出力し、表示体表示契約情報の契約条項を満たせば契約締結を受け付けるとともに、該選択された表示領域固有の前記表示体装置情報と組み合わせ、前記選択された表示領域に適切な表示体の作成および表示体装置情報を出力して発注する手段を備えてなることを特徴とする請求項１に記載の道路施設を活用した表示体提供システム。
【請求項３】
表示依頼者が表示体表示の依頼を入力手段により表示体の表示を打診すると、表示依頼者端末には表示領域を選択する画面と表示期間を選択する画面が出力され、前記表示依頼者が入力手段により表示体の表示を希望する表示領域と表示期間とを選択すると、表示体表示情報に基づいて表示体表示可能な表示領域と該表示領域について表示可能な表示期間が抽出され、前記表示依頼者は入力手段により表示領域を選択するとともに表示体フォームにしたがって表示依頼者情報と表示体内容情報を伝達すると、前記表示依頼者情報と表示体内容情報を前記表示体表示可否審査基準情報の各項目ごとにスクリーニングして前記表示体表示可否審査基準情報の基準を全て満たした申し込みには表示体表示可とし、一つでも基準を満たさない場合には表示体表示不可とし、表示体表示可と判断された申し込みに対しては表示体表示契約項目情報を出力し、前記表示依頼者による入力が表示体表示契約項目情報を満たしたとき表示体表示契約を締結して表示体表示を受け付けて、設置すべき表示体基板の種類・表示体施工方法を抽出しこれに該当する表示体の基板作成、印刷、施工を発注する手段を備えてなることを特徴とする請求項１または２記載の道路施設を活用した表示体提供システム。
【請求項４】
道路施設位置情報は地図情報と関連づけて蓄積され、表示依頼者が該地図情報から表示領域を選択可能な手段を備えてなることを特徴とする請求項１乃至３のいずれかに記載の道路施設を活用した表示体提供システム。
【請求項５】
表示依頼者が選択した表示領域の画像情報と表示体内容情報を合成して表示体表示状態をシュミレーション実行する手段を備えてなることを特徴とする請求項１乃至４のいずれかに記載の道路施設を活用した表示体提供システム。
【請求項６】
表示領域ごとの表示単価と表示期間を組み合わせて算出された表示料金を表示依頼者から徴収をするとともに、所定の割合に基づき算出された分配料金を道路会社に分配する手段を備えてなることを特徴とする請求項１乃至５のいずれかに記載の道路施設を活用した表示体提供システム。
【請求項７】
表示期間の終期が近づいた表示領域に表示体を表示している表示依頼者に対して表示体の表示期間の延長の募集を通知する手段、または表示依頼者登録されている表示依頼者に対して該表示領域における新規表示体表示の募集を通知する手段、または不特定の者に対して該表示領域における新規表示体表示の募集を通知する手段を備えてなることを特徴とする請求項１乃至６のいずれかに記載の道路施設を活用した表示体提供システム。
【請求項８】
表示領域ごとの表示体表示の有無、表示体内容、表示期間を総合して管理会社端末に一覧表示する手段を備えてなることを特徴とする請求項１乃至７のいずれかに記載の道路施設を活用した表示体提供システム。
【請求項９】
道路施設は、高速道路構造物の橋脚および換気塔としたことを特徴とする請求項１乃至８のいずれかに記載の道路施設を活用した表示体提供システム。
【発明の詳細な説明】
【技術分野】
【０００１】
本発明は、道路を走行する車両の運転者や歩行者に対して交通について案内したり、各種メッセージを広報したりするための表示体を道路に付随する施設に施工する一連の業務を統括して管理する道路施設を活用した表示体提供システムに関し、特に広い表面積を有しながらも普段利用・活用されることがなく殺風景な高速道路や高架橋の橋脚や換気塔等の道路施設に注目し、この道路施設を各種表示域（メディア）として社会的に有効に利活用し、道路環境を向上させることができる表示体の施工業務を道路会社、表示依頼者、管理会社を統括して管理する道路施設を活用した表示体提供システムに関する。
【背景技術】
【０００２】
従来、車両の運転者や歩行者に対する広報・告知・宣伝等の手段としては、電力会社が管理する電柱や商店街等が管理する街路灯等に広告看板等が設置されている。また、道路案内表示板等の表示板の裏面や、表示板の脇の空いている場所に、広報・告知・宣伝等の表示体を設けることが案出されている（特許文献１）。
【０００３】
また、屋外用大型看板装置を貸し出して広告を掲示するためのシステムとしては、屋外用の看板装置を貸し出す広告企業が、大型屋外看板装置とホストを設置してインターネットに接続し、看板装置の販売代理店を各地域で募集し、代理店契約を当該企業との間で締結し、地域代理店から、その地域のビル・建物に関するデータを入手し、ホスト内に販売代理店と同一のビル・建物データ等のデータベースを構築し、看板装置への広告主を募集する。広告シミュレーションを実行し、看板装置への広告に納得した広告希望企業は、広告企業に広告依頼の契約をし、広告主となる。地域代理店は看板装置本体の納品を受けて、ビルの屋上に設置して、広告コンテンツを配置された屋外看板装置に広告コンテンツを設定して通電し、点灯広告を介しするようにする広域広告システムが案出されている（特許文献２）。
【特許文献１】特開平８−１３４２６号公開公報
【特許文献２】特開２００７−１２２６７３公開公報
【発明の開示】
【発明が解決しようとする課題】
【０００４】
上記特許文献１に開示された電柱や街路灯等は、表示手段としては電柱が細いため小面積であり表示できる情報量が少なく、かつ遠くから視認することができないことから、広報・告知・宣伝等の効果はさほど発揮されていなかった。また、道路案内表示板等の裏面や脇の空いている場所に表示を設けることは、表示が走行車線上ではなく対向車線上に設けられるから運転者が交通標識や道路案内と混同する恐れは少ないとはいっても、道路上の設置物であることにかわりはなく、各種規制によりその実施は困難であった。
実際に、高速道路や自動車専用道路等にあっては交通に必要な交通標識や道路案内板は設置されているものの、それら以外の広報・告知・宣伝等の公共メッセージを発信する手段が設置されることはほとんどなかった。そして、広い表面積を有しながらも普段は利活用されることがなく、特に高架下はその暗さと相俟って無機質で殺風景な光景を呈していた。
【０００５】
また、上記特許文献２に開示された広域広告システムは、ビルの屋上に設置された屋外看板装置に広告コンテンツを通電するべく、広告主を統括するシステムであり広告場所の提供者と広告依頼者を繋ぐシステムではあるが、道路施設という公共物を各種表示域（メディア）として社会的に有効に利活用し、道路環境を向上させることができる表示体の施工業務を統括するものではない。したがって各々形状、面積が大きく異なる道路施設特徴や、公共施設や屋外広告物に関する法令や景観保護の制限を加味した表示体の施工業務を統括するシステムとはいえなかった。
【０００６】
そこで本発明は、道路空間において広い表面積を有しながらも普段利活用されることがなく、殺風景な高速道路や高架橋の橋脚や換気塔等の道路施設を、広報・告知・宣伝等の公共メッセージの表示領域として社会的に有効に利活用することを目的とし、各道路施設によって大きく異なる表示領域の形状、面積等に適した表示体の施工を行うとともに、公共の道路施設に表示体を表示するに際して厳しい表示体表示可否審査基準情報を設け、当該表示体表示可否審査基準情報に適合した表示体のみを表示することを、統括して行うことができる道路施設を活用した表示体提供システムを提供することを目的とする。
【課題を解決するための手段】
【０００７】
上記目的を達成するため本発明は、道路施設の表面を公共メッセージ等の表示体の表示領域として提供する道路会社と道路施設への表示体の表示に協賛する表示依頼者と道路施設における表示体の施工管理を行う管理会社を繋いで、表示領域の提供、表示体表示の申し込み、表示体作成および施工の発注、施工された表示体の管理を管理サーバーにより統括的に管理するシステムであって、道路会社が表示体の表示領域として提供可能な道路施設の住所・位置・種類に関する項目等の道路施設情報と、道路施設における表示領域の形状・表示領域の面積・表示領域の向き、表示領域の画像等の表示領域情報と、各表示領域ごとに随時更新蓄積される表示体表示の有無・表示期間・表示体内容情報等の表示体表示情報と、各表示領域ごとに設定されている設置すべき表示体基板の種類・表示体基板の形状・表示体の施工方法等の表示体装置情報とを蓄積する手段を有し、表示依頼者が入力手段により、前記道路施設情報および前記表示領域情報に基づいて表示体の表示を希望する表示領域を選択するとともに表示依頼者に関する表示依頼者情報と表示を希望する文字・記号・図画等の表示体内容情報を入力手段により伝達すると、前記選択された表示領域と前記表示依頼者情報と前記表示体内容情報とを受け付けて、該選択された表示領域固有の前記表示体装置情報と組み合わせ、前記選択された表示領域に適切な表示体の作成および表示体装置情報を出力して発注する手段を備えてなることを特徴とする。
【０００８】
道路施設情報と、表示領域情報と、表示体表示情報と、表示体装置情報と、表示体に表示する文字・記号・図形・色彩等が道路施設への表示体表示について規定されている法令の要件を満たすか否か審査するための法令基準・表示体に表示する文字・記号・図形・色彩等が景観の保護や広報の趣旨等に設けられた基準を満たすか否か審査するための表示体内容基準・表示依頼者の業種・理念等が景観の保護や広報の趣旨に設けられた基準を満たすか否か審査するための表示依頼者基準の項目等の表示体表示可否審査基準情報と、表示体表示の契約条項等の表示体表示契約項目情報を蓄積する手段を有し、表示依頼者が入力手段により、前記道路施設情報および前記表示領域情報に基づいて表示体の表示を希望する表示領域を選択するとともに表示依頼者に関する表示依頼者情報と表示を希望する文字・記号・図画等の表示体内容情報を入力手段により伝達すると、前記伝達された表示依頼者情報および表示体内容情報を前記表示体表示可否審査基準によりスクリーニングして表示体表示の可否を決定し、前記表示体表示可と判断された申し込みのみに対して表示体表示契約情報を出力し、表示体表示契約情報の契約条項を満たせば契約締結を受け付けるとともに、該選択された表示領域固有の前記表示体装置情報と組み合わせ、前記選択された表示領域に適切な表示体の作成および表示体装置情報を出力して発注する手段を備えてなることを特徴とする。
【０００９】
表示依頼者が表示体表示の依頼を入力手段により表示体の表示を打診すると、表示依頼者端末には表示領域を選択する画面と表示期間を選択する画面が出力され、前記表示依頼者が入力手段により表示体の表示を希望する表示領域と表示期間とを選択すると、表示体表示情報に基づいて表示体表示可能な表示領域と該表示領域について表示可能な表示期間が抽出され、前記表示依頼者は入力手段により表示領域を選択するとともに表示体フォームにしたがって表示依頼者情報と表示体内容情報を伝達すると、前記表示依頼者情報と表示体内容情報を前記表示体表示可否審査基準情報の各項目ごとにスクリーニングして前記表示体表示可否審査基準情報の基準を全て満たした申し込みには表示体表示可とし、一つでも基準を満たさない場合には表示体表示不可とし、表示体表示可と判断された申し込みに対しては表示体表示契約項目情報を出力し、前記表示依頼者による入力が表示体表示契約項目情報を満たしたとき表示体表示契約を締結して表示体表示を受け付けて、設置すべき表示体基板の種類・表示体施工方法を抽出しこれに該当する表示体の基板作成、印刷、施工を発注する手段を備えてなることを特徴とする。
【００１０】
道路施設位置情報は地図情報と関連づけて蓄積され、表示依頼者が該地図情報から表示領域を選択可能な手段を備えてなることを特徴とする。
【００１１】
表示依頼者が選択した表示領域の画像情報と表示体内容情報を合成して表示体表示状態をシュミレーション実行する手段を備えてなることを特徴とする。
【００１２】
表示領域ごとの表示単価と表示期間を組み合わせて算出された表示料金を表示依頼者から徴収をするとともに、所定の割合に基づき算出された分配料金を道路会社に分配する手段を備えてなることを特徴とする。
【００１３】
表示期間の終期が近づいた表示領域に表示体を表示している表示依頼者に対して表示体の表示期間の延長の募集を通知する手段、または表示依頼者登録されている表示依頼者に対して該表示領域における新規表示体表示の募集を通知する手段、または不特定の者に対して該表示領域における新規表示体表示の募集を通知する手段を備えてなることを特徴とする。
【００１４】
表示領域ごとの表示体表示の有無、表示体内容、表示期間を総合して管理会社端末に一覧表示する手段を備えてなることを特徴とする。   
【００１５】
道路施設は、高速道路構造物の橋脚および換気塔としたことを特徴とする。
【発明の効果】
【００１６】
道路施設の表面を公共メッセージ等の表示体の表示領域として提供する道路会社と道路施設への表示体の表示に協賛する表示依頼者と道路施設における表示体の施工管理を行う管理会社を繋いで、表示領域の提供、表示体表示の申し込み、表示体作成および施工の発注、施工された表示体の管理を管理サーバーにより統括的に管理するシステムであって、道路会社が表示体の表示領域として提供可能な道路施設の住所・位置・種類に関する項目等の道路施設情報と、道路施設における表示領域の形状・表示領域の面積・表示領域の向き、表示領域の画像等の表示領域情報と、各表示領域ごとに随時更新蓄積される表示体表示の有無・表示期間・表示体内容情報等の表示体表示情報と、各表示領域ごとに設定されている設置すべき表示体基板の種類・表示体基板の形状・表示体の施工方法等の表示体装置情報とを蓄積する手段を有し、表示依頼者が入力手段により、前記道路施設情報および前記表示領域情報に基づいて表示体の表示を希望する表示領域を選択するとともに表示依頼者に関する表示依頼者情報と表示を希望する文字・記号・図画等の表示体内容情報を入力手段により伝達すると、前記選択された表示領域と前記表示依頼者情報と前記表示体内容情報とを受け付けて、該選択された表示領域固有の前記表示体装置情報と組み合わせ、前記選択された表示領域に適切な表示体の作成および表示体装置情報を出力して発注する手段を備えてなることにより、道路空間において広い表面積を有しながらも普段利活用されることがなく、殺風景な高速道路や高架橋の橋脚や換気塔等の道路施設を、広報・告知・宣伝等の公共メッセージの表示領域として社会的に有効に利活用することが可能で、各道路施設によって大きく異なる表示領域の形状、面積等に適した表示体の施工を行う一連のサイクルを統括して進めることができる。
【００１７】
道路施設情報と、表示領域情報と、表示体表示情報と、表示体装置情報と、表示体に表示する文字・記号・図形・色彩等が道路施設への表示体表示について規定されている法令の要件を満たすか否か審査するための法令基準・表示体に表示する文字・記号・図形・色彩等が景観の保護や広報の趣旨等に設けられた基準を満たすか否か審査するための表示体内容基準・表示依頼者の業種・理念等が景観の保護や広報の趣旨に設けられた基準を満たすか否か審査するための表示依頼者基準の項目等の表示体表示可否審査基準情報と、表示体表示の契約条項等の表示体表示契約項目情報を蓄積する手段を有し、表示依頼者が入力手段により、前記道路施設情報および前記表示領域情報に基づいて表示体の表示を希望する表示領域を選択するとともに表示依頼者に関する表示依頼者情報と表示を希望する文字・記号・図画等の表示体内容情報を入力手段により伝達すると、前記伝達された表示依頼者情報および表示体内容情報を前記表示体表示可否審査基準によりスクリーニングして表示体表示の可否を決定し、前記表示体表示可と判断された申し込みのみに対して表示体表示契約情報を出力し、表示体表示契約情報の契約条項を満たせば契約締結を受け付けるとともに、該選択された表示領域固有の前記表示体装置情報と組み合わせ、前記選択された表示領域に適切な表示体の作成および表示体装置情報を出力して発注する手段を備えてなることにより、公共の道路施設に表示体を表示するに際して厳しい表示体表示可否審査基準情報を設け、当該表示体表示可否審査基準情報に適合した表示体のみを表示することができ、公共メッセージの意向に協賛する表示依頼者、道路景観の向上に資する表示体のみを選別して表示することができる。
【００１８】
表示依頼者が表示体表示の依頼を入力手段により表示体の表示を打診すると、表示依頼者端末には表示領域を選択する画面と表示期間を選択する画面が出力され、前記表示依頼者が入力手段により表示体の表示を希望する表示領域と表示期間とを選択すると、表示体表示情報に基づいて表示体表示可能な表示領域と該表示領域について表示可能な表示期間が抽出され、前記表示依頼者は入力手段により表示領域を選択するとともに表示体フォームにしたがって表示依頼者情報と表示体内容情報を伝達すると、前記表示依頼者情報と表示体内容情報を前記表示体表示可否審査基準情報の各項目ごとにスクリーニングして前記表示体表示可否審査基準情報の基準を全て満たした申し込みには表示体表示可とし、一つでも基準を満たさない場合には表示体表示不可とし、表示体表示可と判断された申し込みに対しては表示体表示契約項目情報を出力し、前記表示依頼者による入力が表示体表示契約項目情報を満たしたとき表示体表示契約を締結して表示体表示を受け付けて、設置すべき表示体基板の種類・表示体施工方法を抽出しこれに該当する表示体の基板作成、印刷、施工を発注する手段を備えてなることにより、表示領域として提供可能な道路施設の抽出、表示依頼者からの申し込み、契約の締結、表示体の作成と施工を簡易かつ迅速に行うことができる。
【００１９】
道路施設位置情報は地図情報と関連づけて蓄積され、表示依頼者が該地図情報から表示領域を選択可能な手段を備えてなることにより、道路会社、管理会社にとっては道路施設の位置、種類等を一見して知ることができ、表示依頼者は地図上から簡単に表示体表示を希望する表示領域を選択することができる。
【００２０】
表示依頼者が選択した表示領域の画像情報と表示体内容情報を合成して表示体表示状態をシュミレーション実行する手段を備えてなることにより、選択した表示領域に対して表示体表示内容をシュミレーションすることが可能で、表示依頼者はもちろんのこと、道路会社、管理会社も実際に表示体を表示、施工する前にリアルな画像で表示体表示状態を見ることができる。
【００２１】
表示領域ごとの表示単価と表示期間を組み合わせて算出された表示料金を表示依頼者から徴収をするとともに、所定の割合に基づき算出された分配料金を道路会社に分配する手段を備えてなることにより、表示体表示に関する料金の徴収から分配までの流れを統括して行うことができる。
【００２２】
表示期間の終期が近づいた表示領域に表示体を表示している表示依頼者に対して表示体の表示期間の延長の募集を通知する手段、または表示依頼者登録されている表示依頼者に対して該表示領域における新規表示体表示の募集を通知する手段、または不特定の者に対して該表示領域における新規表示体表示の募集を通知する手段を備えてなることにより、表示領域として提供可能な道路施設を常に表示領域として活用することができる。
【００２３】
表示領域ごとの表示体表示の有無、表示体内容、表示期間を総合して管理会社端末に一覧表示する手段を備えてなることにより、管理会社は常に表示領域として提供可能な道路施設を把握し、その稼働状況を確認することができる。
【００２４】
道路施設は、高速道路構造物の橋脚および換気塔としたことにより、広い表面積を有しながらも普段利活用されることがなく、殺風景な高速道路や高架橋の橋脚や換気塔等の道路施設を、広報・告知・宣伝等の公共メッセージの表示領域として社会的に有効に利活用することができる。
【発明を実施するための最良の形態】
【００２５】
図１は本発明のシステムのシステム構成図、図２は本発明のシステムの代表的な動作を示すフローチャート、図３乃至図５は本発明のシステムにおいて端末上に表示される表示画面である。
【００２６】
本発明の図１に示すごとく、本発明のシステムは、管理会社に備えられる管理サーバ１とこれと伝達可能な表示依頼者端末２、および必要に応じて管理会社端末と道路会社端末３から構成される、各端末は、ハードディスク、モニター、キーボード等からなる入出力装置等であり、管理サーバー１へ情報を伝達する手段はインターネット網であってもよいし、専用線によるサーバー間伝達回線を敷設してもよく、例えばＨＵＬＦＴやＴＣＰ/ＩＰ等の伝達方式を使用する。また、伝達機能には例えばセキュリティ確保装置、ネットワーク中継機器を介在させてもよい。
【００２７】
管理サーバー１には、道路会社が表示体の表示領域として提供可能な道路施設としての高速道路構造物の橋脚および換気塔の住所・位置・種類に関する項目等の道路施設情報と、道路施設における表示領域の形状・表示領域の面積・表示領域の向き、表示領域の画像等の表示領域情報と、各表示領域ごとに随時更新蓄積される表示体表示の有無・表示期間・表示体内容情報等の表示体表示情報と、各表示領域ごとに設定されている設置すべき表示体基板の種類・表示体基板の形状・表示体の施工方法等の表示体装置情報がそれぞれデータベース化されて蓄積され、必要に応じて表示体に表示する文字・記号・図形・色彩等が道路施設への表示体表示について規定されている法令の要件を満たすか否か審査するための法令基準・表示体に表示する文字・記号・図形・色彩等が景観の保護や広報の趣旨等に設けられた基準を満たすか否か審査するための表示体内容基準・表示依頼者の業種・理念等が景観の保護や広報の趣旨に設けられた基準を満たすか否か審査するための表示依頼者基準の項目等の表示体表示可否審査基準情報と、表示体表示の契約条項等の表示体表示契約項目情報および表示領域ごとの表示単価情報等がそれぞれデータベース化されて蓄積されている。また、表示領域の抽出、シュミレーション画像の合成、表示料金の徴収と分配等各種演算を行うため演算装置も格納または接続されている。
【００２８】
本発明の基本的なシステムフローを説明する。あらかじめ道路会社および管理会社は、道路会社が表示体の表示領域として提供可能な高速道路、高架線の橋梁、換気塔、その他道路施設に付随する設備等の道路施設および道路施設における表示領域を決定するとともにそれぞれの表示領域の面積、段差、保守点検用のドアの有無、位置等の調査測定を行い、当該道路施設の住所・位置・種類に関する項目等の道路施設情報と、道路施設における表示領域の形状・表示領域の面積・表示領域の向き、表示領域の画像等の表示領域情報と、各表示領域ごとに設定されている設置すべき表示体基板の種類・表示体基板の形状・表示体の施工方法等の表示体装置情報とをデータベース化して蓄積するとともに、各表示領域ごとに随時更新蓄積される表示体表示の有無・表示期間・表示体内容情報等の表示体表示情報を随時更新してデータベースへと蓄積する。
【００２９】
表示依頼者が表示依頼者端末２における入力手段により、道路施設情報および前記表示領域情報に基づいて表示体の表示を希望する表示領域を選択し、独自に表示依頼者に関する表示依頼者情報と表示を希望する文字・記号・図画等の表示体内容情報を入力、または、あらかじめ管理サーバーに蓄積されている景観美化の図柄、公共広報、その他キャッチコピー等に関する表示体の協賛者として会社名等を表示体内容情報を入力すると、選択された表示領域と表示依頼者情報と前記表示体内容情報とを受け付けて、選択された表示領域固有の前記表示体装置情報と組み合わせ、選択された表示領域に適切な表示体の作成および表示体装置情報を出力するようになっている。
【００３０】
また、必要に応じて表示体に表示する文字・記号・図形・色彩等が道路施設への表示体表示について規定されている法令の要件を満たすか否か審査するための法令基準・表示体に表示する文字・記号・図形・色彩等が景観の保護や広報の趣旨等に設けられた基準を満たすか否か審査するための表示体内容基準・表示依頼者の業種・理念等が景観の保護や広報の趣旨に設けられた基準を満たすか否か審査するための表示依頼者基準の項目等の表示体表示可否審査基準情報と、表示体表示の契約条項等の表示体表示契約項目情報がデータベース化されて蓄積されており、このシステムの場合、表示依頼者が入力手段により、道路施設情報および表示領域情報に基づいて表示体の表示を希望する表示領域を選択するとともに表示依頼者に関する表示依頼者情報と表示を希望する文字・記号・図画等の表示体内容情報を入力手段により伝達すると、または、決められた基準値に対して表示依頼者がＹＥＳ/ＮＯの入力をすると、伝達された表示依頼者情報および表示体内容情報を前記表示体表示可否審査基準により各項目ごとに演算しスクリーニングすることにより表示体表示の可否を決定する。表示体表示可と判断された申し込みのみに対して表示体表示契約情報を出力し、表示体表示契約情報の契約条項を満たせば契約締結を受け付けるとともに、該選択された表示領域固有の前記表示体装置情報と組み合わせ、選択された表示領域に適切な表示体の作成および表示体装置情報を出力する。また表示体表示不可と判断された申し込みに対しては、表示体表示不可通知または修正案を通知するようになっている。
【００３１】
次に、図２に基づいて本発明のシステムの代表的な動作を説明する。道路施設の景観の向上に協賛する表示依頼者としての協賛会社Ａ社は、Ａ社端末より管理サーバー１にアクセスすることにより表示体表示依頼の打診をする。この打診に応じて管理サーバー１は表示体表示申し込み画面をＡ社端末に表示する。そこで、Ａ社端末からＡ社の会社名、業種等Ａ社を特定する事項を入力するとＡ社端末には、図３に示す表示領域として提供可能な道路施設が表示された地図、図４に示す各表示領域の画像、各表示領域ごとの表示単価、表示期間選択画面が表示される。ここで、Ａ社端末から表示体表示を希望する道路施設または表示領域と希望する表示期間を入力すると管理サーバー１の演算装置は、表示体表示情報に基づいて表示体表示可能な表示領域を抽出して提示する。Ａ社端末から、表示領域の選択（例えば高速道路初台交差点のＰ５−Ｌ橋脚）、表示期間（１年間）、また独自にまたは表示体フォームに基づいて表示を希望する会社名等の文字・社標等の記号・図画の表示体内容情報を入力すると、図５に示すごとく選択された表示領域（Ｐ５−Ｌ橋脚）の画像と表示体内容を合成してシュミレーション実行がなされる。また、入力された情報に対して、表示体表示可否審査基準によるスクリーニングが実行される。表示体に表示する文字・記号・図形・色彩については、道路施設への表示体表示について規定されている道路法規その他関連する法令の要件を満たすか否か審査するための法令基準による項目ごとのスクリーニングが行われる。また必要に応じて、表示体に表示する文字・記号・図形・色彩等について、道路会社および管理会社が独自に設定した景観の保護や広報の趣旨等に設けられた基準を満たすか否か審査するための表示体内容基準による項目ごとのスクリーニングが行われる。さらに入力された表示依頼者を特定する情報に対して、業種・理念等が景観の保護や広報の趣旨に設けられた基準を満たすか否か審査するための表示依頼者基準による項目ごとのスクリーニングが行われる。入力内容が全ての項目を満たしたとき表示体表示合否の決定画面とともに、契約項目情報が記載された契約画面が表示される。この契約画面において契約項目情報を満たす入力を行うと表示体表示契約が締結される。そうすると管理会社端末には、Ｐ５−Ｌ橋脚における表示体装置情報が抽出され、例えばＰ５−Ｌ橋脚は面積Ｗ２，５００・Ｈ７，０００であり、配管保守用の窓Ｗ１，５００・Ｈ７，０００の加工が必要であるという情報が出力されるのでこれに合わせた表示体のデザイン化・ラフ・カンプの作成、表示体装置の施工を発注指示する。また、管理サーバーにおいてはＰ５−Ｌ橋脚にはＡ社が例えば２００８年１月１８日〜２００９年１月１８日まで当該内容の表示体を表示することの情報が更新蓄積される。さらに、Ｐ５−Ｌ橋脚の表示単価と表示期間１年が組合せ演算されて表示金額および所定の割合に基づく道路会社への分配金額が算出され、必要に応じて徴収と分配を行ってもよい。さらに、設定された猶予期間に応じて表示期間の終期である２００９年１月１８日より前に、Ａ社への表示期間の延長の募集を通知、または既に他の表示領域に表示体を表示している協賛会社Ｂ社〜Ｅ社に対して該表示領域（Ｐ５−Ｌ橋脚）における新規表示体表示の募集を通知、または不特定の者に対して該表示領域（Ｐ５−Ｌ橋脚）における新規表示体表示の募集を通知してもよい。
【００３２】
さらに、表示領域ごとの表示体表示の有無、表示体内容、表示期間を総合して管理会社端末に一覧表示する手段を備え、全ての表示領域を一覧にして、または表示領域ごとに管理会社端末に表示可能とし、管理会社は道路施設の位置、表示領域の稼働状況等を常に把握することがきできるようになっている。
【００３３】
尚、上述したシステムにおける各情報の入力および実行の順番はこれに限定されるものではない。また、道路施設の種類は上述したものに限られるものではない。
【図面の簡単な説明】
【００３４】
【図１】本発明のシステムのシステム構成図である。
【図２】本発明のシステムの代表的な動作を示すフローチャートである。
【図３】本発明のシステムにおいて端末上に表示される地図画像である。
【図４】本発明のシステムにおいて端末上に表示される表示領域画像である。
【図５】本発明のシステムにおいて端末上に表示されるシュミレーション画像である。
【符号の説明】
【００３５】
１  管理サーバー
２  表示依頼者端末
３  道路会社端末
【図１】
2009176230.tif 000003
【図２】
2009176230.tif 000004
【図３】
2009176230.tif 000005
【図４】
2009176230.tif 000006
【図５】
2009176230.tif 000007